(57)【特許請求の範囲】
【請求項１】
カード基板に情報表示する情報表示部を被覆し剥離可能な隠蔽層と、 
前記情報表示部のうち対象となる情報表示部以外の複数の情報表示部の上部を繋いで通るように電気的に直列に１つ以上形成され、前記対象となる情報表示部以外の複数の情報表示部を覆う前記隠蔽層の剥離に伴い断線されるアンテナパターンと、 
前記アンテナパターンの断線がない場合にリーダライタ装置との送受信を行うＩＣチップと、 
を備えるスクラッチカード。 
【請求項２】
前記アンテナパターンは、前記情報表示部のうち対象となる情報表示部以外の全ての情報表示部の上部を繋いで通るように形成されることを特徴とする請求項１に記載のスクラッチカード。
【請求項３】
前記カード基板の前記隠蔽層が形成されている部分以外の部分には、保護層が形成されていることを特徴とする請求項１または請求項２に記載のスクラッチカード。 
【請求項４】
前記アンテナパターンは、複数形成されており、これら各アンテナパターンには、それぞれＩＣチップが接続されていることを特徴とする請求項１から請求項３のいずれか一項に記載のスクラッチカード。 
【請求項５】
前記アンテナパターンは、さらに他の対象となる情報表示部以外の情報表示部の上部を通るように形成されていることを特徴とする請求項１から請求項４のいずれか一項に記載のスクラッチカード。
【発明の詳細な説明】
【技術分野】
【０００１】
本発明はスクラッチカードに係り、特に、不正を迅速かつ確実に判断することを可能としたスクラッチカードに関するものである。
【背景技術】
【０００２】
従来から、宝くじなどのインスタント抽選券や秘密情報伝達カードなどにおいて、秘密にしたい情報をシート基材上に印字表示してなる情報表示部を設け、これら情報表示部の上層に、擦ることにより剥離される遮蔽層を形成してなるスクラッチカードが多く用いられている。
【０００３】
このようなスクラッチカードにおいて、遮蔽層は、比較的容易に入手できる原料から形成することが可能であるため、一度剥離した遮蔽層を再び形成するといった不正を行うことも可能である。例えば、スクラッチカードの遮蔽層を一度剥離させて「当たり」となる情報表示部を確認した後、「当たり」となる情報表示部以外の情報表示部に遮蔽層を再度形成することにより、「当たり」となる情報表示部のみの遮蔽層が剥離された状態とすることができ、このような不正が行われると、外部からは容易に判断することができないという問題を有している。
【０００４】
このようなスクラッチカードの不正を防止する技術として、従来から、例えば、秘密情報が表示された秘密情報表示部を設けるとともに、秘密情報表示部上に、引っ掻くことにより粉砕可能な香料が含有されたスクラッチ隠蔽層を設け、スクラッチ隠蔽層部分を引っ掻いて破壊した時の香りの有無や香りの種類により、スクラッチカードの真偽判定を行うことができるようにした技術が開示されている（例えば、特許文献１参照）。
【０００５】
また、その他の技術として、基材上に形成された印刷層と、印刷層を隠蔽するとともにスクラッチ可能なホログラムシール層とを設け、ホログラムシール層により、印刷層を透視できなくするとともに、偽造防止を高めるようにした技術が開示されている（例えば、特許文献２参照）。
【先行技術文献】
【特許文献】
【０００６】
【特許文献１】特開２００１−０４７７７７号公報
【特許文献２】特開２００１−０３９０６８号公報
【発明の概要】
【発明が解決しようとする課題】
【０００７】
しかしながら、前記従来の技術においては、スクラッチカードに不正が行われたことを判断することは可能であるが、各スクラッチカード毎に、不正が行われているか否かを判断する必要があり、複数枚のスクラッチカードの不正を短時間に正確に判断することは極めて困難であるという問題を有している。
【０００８】
本発明は前記した点に鑑みてなされたものであり、スクラッチカードの不正を迅速にかつ正確に判断することのできるスクラッチカードを提供することを目的とするものである。
【課題を解決するための手段】
【０００９】
本発明は前記目的を達成するために、請求項１の発明に係るスクラッチカードは、カード基板に情報表示する情報表示部を被覆し剥離可能な隠蔽層と、 
前記情報表示部のうち対象となる情報表示部以外の複数の情報表示部の上部を繋いで通るように電気的に直列に１つ以上形成され、前記対象となる情報表示部以外の複数の情報表示部を覆う前記隠蔽層の剥離に伴い断線されるアンテナパターンと、 
前記アンテナパターンの断線がない場合にリーダライタ装置との送受信を行うＩＣチップと、 
を備える。
請求項２に係る発明は、請求項１において、前記アンテナパターンは、前記情報表示部のうち対象となる情報表示部以外の全ての情報表示部の上部を繋いで通るように形成されることを特徴とする。
【００１０】
請求項３に係る発明は、請求項１または請求項２において、前記カード基板の前記隠蔽層が形成されている部分以外の部分には、保護層が形成されていることを特徴とする。 
【００１１】
請求項４に係る発明は、請求項１から請求項３のいずれか一項において、前記アンテナパターンは、複数形成されており、これら各アンテナパターンには、それぞれＩＣチップが接続されていることを特徴とする。 
【００１２】
請求項５に係る発明は、請求項１から請求項４のいずれか一項において、前記アンテナパターンは、さらに他の対象となる情報表示部以外の情報表示部の上部を通るように形成されていることを特徴とする。 
【発明の効果】
【００１３】
請求項１に係る発明によれば、カード基材に、対象となる情報表示部以外の複数の情報表示部の上部を繋いで通過するように電気的に直列に１つ以上アンテナパターンを形成し、アンテナパターンの断線がない場合にリーダライタ装置との送受信を行うようにしている。
請求項２に係る発明によれば、対象となる情報表示部以外の全ての情報表示部を通過するようにアンテナパターンを形成するようにしているので、リーダライタ装置により、ＩＣチップとの送受信を行うことができれば、不正が行われていないものと判断することができる。また、ＩＣチップとの送受信を行うことにより判断するものであるため、不正が行われているか否かを瞬時に判断することができ、しかも、複数のスクラッチカードについても不正の有無を短時間で判断することができる。また、スクラッチカードを販売する場合に、スクラッチカードをリーダライタ装置により送受信させることにより、アンテナパターンが切断されておらず、ＩＣチップとの送受信が適正に行われるか否かをチェックすることができ、不良なスクラッチカードの販売を防止することができる。さらに、複数枚のスクラッチカードをリーダライタ装置で同時に送受信させることにより、ＩＣチップの数を判定することができ、スクラッチカードの枚数を確認することができる。 
【００１４】
請求項３に係る発明によれば、カード基板の隠蔽層が形成されている部分以外の部分に保護層を形成するようにしているので、情報表示部以外の部分を擦った場合でも、アンテナパターンが剥離あるいは切断してしまうことを確実に防止することができる。 
【００１５】
請求項４に係る発明によれば、アンテナパターンを複数形成し、これら各アンテナパターンにそれぞれＩＣチップを接続するようにしているので、情報表示部の数や配置に応じてアンテナパターンを容易に形成することができ、しかも、リーダライタ装置により、２つのＩＣチップとの送受信を行うことにより、スクラッチカードの不正の有無を短時間で判断することができる。 
【００１６】
請求項５に係る発明によれば、アンテナパターンをさらに他の対象となる情報表示部以外の情報表示部の上部を通るように形成するようにしているので、複数の対象となる情報表示部に対する不正の有無を判断することができる。 
【図面の簡単な説明】
【００１７】
【図１】本発明に係るスクラッチカードの第１実施形態を示す概略平面図である。
【図２】本発明に係るスクラッチカードの第１実施形態を示す図１の縦断面図である。
【図３】本発明に係るスクラッチカードの第１実施形態における「当たり」に対応する情報表示部のみを剥離させた状態を示す概略平面図である。
【図４】本発明に係るスクラッチカードの第１実施形態における「当たり」に対応する情報表示部以外の情報表示部を剥離させた状態を示す概略平面図である。
【図５】本発明に係るスクラッチカードの第２実施形態を示す概略平面図である。
【図６】本発明に係るスクラッチカードの第３実施形態を示す概略平面図である。
【発明を実施するための形態】
【００１８】
以下、本発明の実施形態について図面を参照して説明する。
【００１９】
図１は、本発明に係るスクラッチカードの実施形態を示す概略構成図であり、本実施形態においては、スクラッチカード１は、例えば、紙や薄膜合成樹脂などにより形成されたカード基板２を備えており、カード基板２の上面には、例えば、数字、文字あるいは絵柄などの情報を表示する情報表示部３が印刷などにより形成されている。この情報表示部３は、本実施形態においては、３列×３行分形成されており、情報表示部３の情報は、数字とされている。
【００２０】
カード基板２の上面には、ＩＣチップ４が搭載されており、カード基板２の上面には、対象となる「当たり」の情報表示部３以外の情報表示部３を通過するように配線されたアンテナパターン５が形成されている。すなわち、本実施形態においては、情報表示部３に表示された３つの「３」の数字を全て選択した場合に「当たり」であるとした場合に、情報表示部３の「３」に該当する位置以外の情報表示部３を通過するようにアンテナパターン５を形成するように構成されている。このアンテナパターン５は、ループ状に形成されており、アンテナパターン５の両端部は、ＩＣチップ４に接続されている。また、アンテナパターン５は、例えば、導電性インクにより印刷することにより、形成されるものであり、例えば、指の爪や硬貨などの硬い物で擦ったときに、容易に剥離あるいは断線するように構成されている。
【００２１】
カード基板２の情報表示部３の上面には、情報表示部３の表示を隠蔽して外部から見えないようにする隠蔽層６が形成されており、隠蔽層６は、例えば、指の爪や硬貨など硬い物で擦ったときに、容易に剥離することができるように構成されている。さらに、カード基板２の上面であって、情報表示部３以外の部分には、例えば、ラミネート樹脂などからなる保護層７が形成されており、保護層７は、例えば、指の爪や硬貨などの硬い物で擦ったときに、容易に剥離しない程度の強度を有している。
【００２２】
そして、本実施形態においては、図１に示すように、例えば、情報表示部３に表示された３つの「３」の数字を全て選択した場合に「当たり」であるとした場合に、「３」に該当する情報表示部３の隠蔽層６のみを剥離させた場合には、アンテナパターン５が剥離されることがないので、スクラッチカード１のＩＣチップ４をリーダライタ装置を用いて信号の送受信を行うことが可能である。一方、「３」に該当する情報表示部３以外の隠蔽層６を剥離させた場合には、アンテナパターン５が剥離または切断されてしまうので、スクラッチカード１のＩＣチップ４をリーダライタ装置を用いて信号の送受信を行うことができなくなるものである。
【００２３】
次に、本実施形態の作用について説明する。
【００２４】
本実施形態においては、スクラッチカード１の使用者がスクラッチカード１の任意の隠蔽層６を指の爪などにより擦って隠蔽層６を剥離させて、情報表示部３を露出させる。このとき、「当たり」である「３」に該当する情報表示部３の隠蔽層６のみを剥離させた場合には、アンテナパターン５が剥離されないので、スクラッチカード１のＩＣチップ４とリーダライタ装置を用いて信号の送受信を行うことができる。また、「３」に該当する情報表示部３以外の隠蔽層６を剥離させた場合には、アンテナパターン５が剥離または切断されてしまうので、スクラッチカード１のＩＣチップ４をリーダライタ装置を用いて信号の送受信を行うことができなくなる。
【００２５】
そのため、リーダライタ装置によりＩＣチップ４との送受信を行うことができた場合には、スクラッチカード１が適正であり、不正が行われていないと判断するものである。一方、リーダライタ装置によりＩＣチップ４との送受信を行うことができない場合は、スクラッチカード１に不正が行われたと判断するものである。
【００２６】
なお、本実施形態においては、カード基板２の情報表示部３以外の部分には、保護層７が形成されていることから、この情報表示部３以外の部分を擦った場合でも、アンテナパターン５が剥離あるいは切断してしまうことはない。
【００２７】
また、本実施形態においては、スクラッチカード１を販売する場合に、スクラッチカード１をリーダライタ装置により送受信させることにより、アンテナパターン５が切断されておらず、ＩＣチップ４との送受信が適正に行われるか否かをチェックすることができ、不良なスクラッチカード１の販売を防止することができる。さらに、複数枚のスクラッチカード１をリーダライタ装置で同時に送受信させることにより、ＩＣチップ４の数を判定することができ、スクラッチカード１の枚数を確認することができる。
【００２８】
以上述べたように、本実施形態においては、カード基板２に、アンテナパターン５を「当たり」となる情報表示部３以外の情報表示部３を通過するように配線するようにしているので、リーダライタ装置により、ＩＣチップ４との送受信を行うことができれば、不正が行われていないものと判断することができる。また、ＩＣチップ４との送受信を行うことにより判断するものであるため、不正が行われているか否かを瞬時に判断することができ、しかも、複数のスクラッチカード１についても不正の有無を短時間で判断することができる。
【００２９】
次に、本発明の第２実施形態について説明する。
【００３０】
本実施形態においては、図５に示すように、カード基板２には、対象となる「当たり」の情報表示部３を通るアンテナパターン５を複数のループ状に形成するようにしたものであり、カード基板２には、これら各アンテナパターン５に接続されるＩＣチップ４がそれぞれ搭載されている。
【００３１】
これは、アンテナパターン５は、ループ型であることが必要であるので、情報表示部３の数や配置によっては、１つのアンテナパターン５を所定の情報表示部３のすべてを通るように形成することが困難な場合が生じるためである。
【００３２】
本実施形態においても前記実施形態と同様に、スクラッチカード１の使用者がスクラッチカード１の任意の隠蔽層６を指の爪などにより擦って隠蔽層６を剥離させて、情報表示部３を露出させた場合に、「当たり」である「３」に該当する情報表示部３の隠蔽層６のみを剥離させた場合には、各アンテナパターン５が剥離されないので、スクラッチカード１の各ＩＣチップ４とリーダライタ装置を用いて信号の送受信を行うことができる。また、「３」に該当する情報表示部３以外の隠蔽層６を剥離させた場合には、アンテナパターン５が剥離または切断されてしまうので、スクラッチカード１のＩＣチップ４をリーダライタ装置を用いて信号の送受信を行うことができなくなる。
【００３３】
そのため、リーダライタ装置により２つのＩＣチップ４との送受信を行うことができた場合には、スクラッチカード１が適正であり、不正が行われていないと判断するものであり、リーダライタ装置により、少なくとも一方のＩＣチップ４との送受信を行うことができない場合は、スクラッチカード１に不正が行われたと判断するものである。
【００３４】
以上述べたように、本実施形態においても前記実施形態と同様に、カード基板２に、アンテナパターン５を対象である「当たり」となる情報表示部３以外の情報表示部３を通過するように配線するようにしているので、リーダライタ装置により、２つのＩＣチップ４との送受信を行うことができれば、不正が行われていないものと判断することができる。また、ＩＣチップ４との送受信を行うことにより判断するものであるため、不正が行われているか否かを瞬時に判断することができ、しかも、複数のスクラッチカード１についても不正の有無を短時間で判断することができる。さらに、スクラッチカード１を販売する場合に、スクラッチカード１をリーダライタ装置により送受信させることにより、ＩＣチップ４との送受信が適正に行われるか否かをチェックすることができ、不良なスクラッチカード１の販売を防止することができる。さらに、複数枚のスクラッチカード１をリーダライタ装置で同時に送受信させることにより、ＩＣチップ４の数を判定することができ、スクラッチカード１の枚数を確認することができる。
【００３５】
次に、本発明の第３実施形態について説明する。
【００３６】
図６に示すように、本実施形態においては、前記実施形態と同様に、情報表示部３に表示された３つの「３」の数字を全て選択した場合に「一等当たり」であるとした場合に、情報表示部３の「３」に該当する位置以外の情報表示部３を通過するようにアンテナパターン５（図中破線で示す）を形成するように構成されている。さらに、本実施形態においては、例えば、情報表示部３に表示された３つの「２」の数字をすべて選択した場合に、「２等当たり」であるとした場合に、情報表示部３の「２」に該当する位置以外の情報表示部３を通るように第２アンテナパターン８（図中一点鎖線で示す）を形成するように構成されている。すなわち、本実施形態においては、「当たり」の対象となる情報表示部３を複数設定するようにしたものである。
【００３７】
この場合に、本実施形態においては、アンテナパターン５および第２アンテナパターン８が１つの情報表示部３の表面に重なって通過する場合が生じるため、アンテナパターン５と第２アンテナパターン８との間には、図示しない絶縁層を形成し、アンテナパターン５と第２アンテナパターン８とがショートしないようにすればよい。また、アンテナパターン５および第２アンテナパターン８が重なって通過する情報表示部３の隠蔽層６を擦って隠蔽層６を剥離させる場合に、アンテナパターン５および第２アンテナパターン８が一緒に剥離されるように、アンテナパターン５および第２アンテナパターン８の剥離強度を設定するようにすればよい。
【００３８】
そして、アンテナパターン５および第２アンテナパターン８には、それぞれＩＣチップ４および第２ＩＣチップ９が接続されている。
【００３９】
本実施形態においても前記実施形態と同様に、スクラッチカード１の使用者がスクラッチカード１の任意の隠蔽層６を指の爪などにより擦って隠蔽層６を剥離させて、情報表示部３を露出させた場合に、「一等当たり」である「３」に該当する情報表示部３の隠蔽層６のみを剥離させた場合には、アンテナパターン５が剥離されないので、ＩＣチップ４とリーダライタ装置を用いて信号の送受信を行うことができる。また、「３」に該当する情報表示部３以外の隠蔽層６を剥離させた場合には、アンテナパターン５が剥離または切断されてしまうので、スクラッチカード１のＩＣチップ４をリーダライタ装置を用いて信号の送受信を行うことができなくなる。
【００４０】
また、「２等当たり」である「２」に該当する情報表示部３の隠蔽層６のみを剥離させた場合は、第２アンテナパターン８が剥離されないので、第２ＩＣチップ９とリーダライタ装置を用いて信号の送受信を行うことができる。そして、「２」に該当する情報表示部３以外の隠蔽層６を剥離させた場合には、第２アンテナパターン８が剥離または切断されてしまうので、スクラッチカード１の第２ＩＣチップ９をリーダライタ装置を用いて信号の送受信を行うことができなくなる。
【００４１】
そのため、リーダライタ装置によりＩＣチップ４との送受信を行うことができた場合には、「一等当たり」のスクラッチカード１が適正であり、不正が行われていないと判断するものであり、第２ＩＣチップ９との送受信を行うことができた場合には、「２等当たり」のスクラッチカード１が適正であり、不正が行われていないと判断するものである。
【００４２】
そして、ＩＣチップ４との送受信を行うことができないにもかかわらず、スクラッチカード１が「一等当たり」状態になっている場合には、スクラッチカード１に不正が行われたと判断し、第２ＩＣチップ９との送受信を行うことができないにもかかわらず、スクラッチカード１が「２等当たり」状態になっている場合にも、スクラッチカード１に不正が行われたと判断するものである。
【００４３】
以上述べたように、本実施形態においても前記実施形態と同様に、カード基板２に、アンテナパターン５を対象である「当たり」となる情報表示部３以外の情報表示部３を通過するように配線するようにしているので、リーダライタ装置により、ＩＣチップ４または第２ＩＣチップ９との送受信を行うことができれば、不正が行われていないものと判断することができる。また、ＩＣチップ４あるいは第２ＩＣチップ９との送受信を行うことにより判断するものであるため、不正が行われているか否かを瞬時に判断することができ、しかも、複数のスクラッチカード１についても不正の有無を短時間で判断することができる。さらに、スクラッチカード１を販売する場合に、スクラッチカード１をリーダライタ装置により送受信させることにより、ＩＣチップ４あるいは第２ＩＣチップ９との送受信が適正に行われるか否かをチェックすることができ、不良なスクラッチカード１の販売を防止することができる。さらに、複数枚のスクラッチカード１をリーダライタ装置で同時に送受信させることにより、スクラッチカード１の枚数を確認することができる。
【００４４】
なお、本発明は上記実施形態に限定されるものではなく、本発明の趣旨に基づいて種々の変形が可能である。
【符号の説明】
【００４５】
１  スクラッチカード
２  カード基板
３  情報表示部
４  ＩＣチップ
５  アンテナパターン
６  隠蔽層
７  保護層
８  第２アンテナパターン
９  第２ＩＣチップ
【図１】
0005520734.tif 000002
【図２】
0005520734.tif 000003
【図３】
0005520734.tif 000004
【図４】
0005520734.tif 000005
【図５】
0005520734.tif 000006
【図６】
0005520734.tif 000007